(57)【要約】【課題】単純な構成で、状況に応じた最適な画像投影を行うことが可能なプロジェクタを提供すること。【解決手段】画像の色再現性を優先する第１の投影モードと、画像の明るさを優先する第２の投影モードとを有し、これら２つの投影モードを、プロジェクタから投影面までの距離が遠距離であるか否か（ステップＳ２４）、写真画像であるか否か（ステップＳ２６）、主要被写体がアンダーであるか否か（ステップＳ２７）などに応じて適切に切り換える。【選択図】  図９
2005203859.tif 000002
【特許請求の範囲】
【請求項１】
投影面に投影する画像の色再現性を優先する第１の投影モードと、上記投影面に投影する画像の明るさを優先する第２の投影モードとを切換制御する制御手段を少なくとも具備することを特徴とするプロジェクタ。
【請求項２】
上記制御手段による切換制御は、上記投影面に投影する画像の選択変更が行われるのに同期して行うことを特徴とする請求項１に記載のプロジェクタ。
【請求項３】
上記制御手段による切換制御は、該制御手段に入力される切換信号に基づいて行うことを特徴とする請求項１に記載のプロジェクタ。
【請求項４】
上記投影面までの距離を検出し、この距離検出結果に従って上記切換信号を出力する距離検出手段を更に具備することを特徴とする請求項３に記載のプロジェクタ。
【請求項５】
上記投影面から反射する反射信号光から、上記画像における主要被写体部の明るさ又は主要被写体部の明るさの変化を検出し、これら何れかの検出結果に従って上記切換信号を出力する主要被写体部検出手段を更に具備することを特徴とする請求項３に記載のプロジェクタ。
【請求項６】
上記投影する画像の色を変更するための複数のカラーホイールを更に具備し、
上記制御手段による切換制御は、上記複数のカラーホイールを選択的に切り換えることによって行うことを特徴とする請求項１に記載のプロジェクタ。
【請求項７】
上記投影する画像の色を変更するための回転式のカラーホイールを更に具備し、
上記制御手段による切換制御は、上記回転式のカラーホイールの回転速度を切り換えることによって行うことを特徴とする請求項１に記載のプロジェクタ。
【発明の詳細な説明】
【技術分野】
【０００１】
本発明は、デジタル画像を投影面に投影するプロジェクタの改良に関する。
【背景技術】
【０００２】
従来より、多数のメンバーが集まるミーティング等においては、会議資料等をスクリーンに投影することができるプレゼンテーション用プロジェクタが広く普及している。また近年では、デジタルカメラやカメラ機能付きの携帯電話機等の普及により、デジタルカメラや携帯電話機等で撮影したデジタル画像をプロジェクタにより拡大して表示することで、多くの人で楽しむ機会が増加している。このような場合、プロジェクタに要求されるのは、必要以上に拡大できることよりも、色再現性を含む画質を向上させることや、カメラ等に付属の小さなモニタよりも大きな画面で見える事による臨場感を損なわないことである。
【０００３】
即ち、今後、プロジェクタで再生される画像においては、色再現性が要求されるものと明るさが優先されるものとがある。
【０００４】
例えば、特許文献１は色再現性を高める例であり、空間変調素子や、回折格子カラーフィルタを利用して色再現性を高めるものである。この他にも特許文献２のようにカラーホイールという色フィルタ部材を用いて色再現性を高める手法もある。また、特許文献３のようにカラーホイール構成を改良して色再現性を更に高める手法なども提案されている。
【特許文献１】特開２００２−４０５５８号公報
【特許文献２】特開２００２−２６８０１０号公報
【特許文献３】特開２００２−１８２１２８号公報
【発明の開示】
【発明が解決しようとする課題】
【０００５】
ここで、プロジェクタによって投影される画像が、例えばプレゼンテーション用の資料である場合には、なるべく高い明暗のコントラストを付けて文字をはっきり表示させて、大きな会場等においても遠くの人に文字が見えやすくする事が重要である。この場合には、明るさやコントラストが優先される設計がなされることが多く、これでは、色再現性のほうが犠牲になる傾向がある。
【０００６】
一方、デジタルカメラ等で撮影した写真画像を大画面で鑑賞したいと感じるユーザが増加している。これは、画像がデジタルデータ化され、従来の銀塩フィルムによる写真のように必ずしも紙にプリントアウトする必要がなく、撮影した画像をモニタ上で楽しむ事ができるようになってきたためである。このような流れの中で、デジタルカメラや携帯電話機等に組みこまれた小型のモニタに写った画像では本来の画像が持つ臨場感を十分に体感できないと感じて、プロジェクタ等の、モニタの表示面積の制約を越えた画像表示が可能な機器を用いて写真画像を拡大表示して皆で楽しむ文化も定着しつつある。このような写真画像では、コントラストを高めすぎると、背景が白く飛んでしまったりして正しい色再現が行われないことがある。
【０００７】
また、特許文献１〜３は画像の色再現性を優先するものであり、明るさやコントラスト等を優先するものではない。
【０００８】
本発明は、上記の事情に鑑みてなされたものであり、単純な構成で、状況に応じた最適な画像投影を行うことが可能なプロジェクタを提供することを目的とする。
【課題を解決するための手段】
【０００９】
上記の目的を達成するために、本発明の第１の態様のプロジェクタは、投影面に投影する画像の色再現性を優先する第１の投影モードと、上記投影面に投影する画像の明るさを優先する第２の投影モードとを切換制御する制御手段を少なくとも具備する。
【００１０】
この第１の態様では、色再現性を優先した第１の投影モードと明るさを優先した第２の投影モードを設けておき、各々のモードに最適な方法で画像投影を行う。これらを状況に応じて、切り換えることで、ユーザの鑑賞時の満足度を高めることができる。
【発明の効果】
【００１１】
本発明によれば、単純な構成で、状況に応じた最適な画像投影を行うことが可能なプロジェクタを提供することができる。
【発明を実施するための最良の形態】
【００１２】
以下、本発明の実施形態を図面を参照して説明する。  
図１は本発明の実施形態に係るプロジェクタの構成を示すブロック図である。図１において、光源ランプ１は、投影面２０に画像３０を投影するための白色光源である。この光源ランプ１は光源駆動回路１ａによって駆動する。また、光源ランプ１の近傍には、光源ランプ１の光を楕円集光するための楕円集光ミラー２が設けられている。更に楕円集光ミラー２の集光方向に回転式のカラーホイール３，４と、ライトガイド５とが配置されている。
【００１３】
即ち、光源ランプ１からの光は、まず楕円集光ミラー２によって集光され、カラーホイール３，４を介してライトガイド５に集められる。ここで、カラーホイール３，４は図２に示すように複数のカラーフィルタ部（ＲＧＢの３原色及び透明（Ｗ））から構成されている。ここで、カラーホイール３とカラーホイール４とでは、それぞれの色のカラーフィルタ部の面積比が異なっている。即ち、カラーホイール３のほうが透明部の割合が大きくなっている。
【００１４】
このような構成において、光源ランプ１からの光がカラーホイール３及び４のカラーフィルタ部を通過すると、白色光成分のうちの特定の周波数成分の光が吸収される。これにより、光に色が付けられる。また、カラーホイール３，４はそれぞれモータ３ａ，４ａによって回転可能に構成されており、あるタイミングでは、ＲＧＢ（及びＷ）の何れかの光しか通過しない。しかしながら、高速で色を重ねていくことにより、鑑賞者の目には正しく彩色された画像を見せることができる。更に、図２に示すようにカラーホイール３，４の何れの色のカラーフィルタ部に光が通過しているのかをフォトカプラ３ｃ，４ｃによって検出することができる。
【００１５】
ここで、本プロジェクタは、色再現性優先の画像投影を行うことが可能な第１の投影モードと明るさ優先の画像投影を行うことが可能な第２の投影モードとを有しており、これらの投影モードを、カラーホイール３，４を適切に制御することによって切り換える。このような切り換えについては後で更に詳しく説明する。
【００１６】
カラーホイール３，４を通過した光は、ライトガイド５において均一な面の光に変換される。ライトガイド５から出力された光は、コンデンサレンズ６を介してミラー７に入射する。そして、ミラー７によって反射された光がミラー８に入射し、ミラー８によって反射された光がデジタルミラーデバイス（ＤＭＤ）９に入射する。このＤＭＤ９によって画像３０が形成される。
【００１７】
ここで、ＤＭＤ９は、複数の画素から構成されている。また、これら複数の画素は微小のミラー群によって構成されている。これら微小ミラー群は、画素制御回路９ａに制御され、光源ランプ１から入射してきた光線の方向を投影レンズ１０の方向に向けたり、投影レンズ１０と異なる方向に偏向させたりできるように構成されている。この画素制御回路９ａの制御は、デジタルの画像データ４０に従って、マイクロコンピュータ等からなる演算制御回路（ＣＰＵ）１１が行う。また、制御手段としてのＣＰＵ１１には、操作スイッチ部１１ａが設けられている。即ち、画像の鑑賞者等により操作スイッチ部１１ａが操作されると、ＣＰＵ１１は、操作スイッチ部１１ａの操作状態に応じた各種制御を実行する。
【００１８】
また、ＣＰＵ１１は、モータ３ａ，４ａの回転速度等を制御するモータドライバ（ＭＤ）３ｂ，４ｂの制御も行う。これにより、例えば所定の色の濃淡は、カラーホイール上のカラーフィルタ部を光が通過するタイミングにおいてＤＭＤ９の微小ミラー群を何回投影レンズ１０に向けるかによって制御することができる。即ち、所定の微小時間内に投影レンズ１０に向かって光を照射する回数を増やせば色は濃く（明るく）なり、反対に、投影レンズ１０と異なる方向に偏向させる回数を増やせば色は薄く（暗く）なる。
【００１９】
また、本一実施形態に係るプロジェクタは、オートフォーカス用の受光レンズ１２とセンサ１３ａ，１３ｂを有している。ＣＰＵ１１は、センサ１３ａ，１３ｂに入射した光の光量を受光量検出回路１３ｃから出力される信号によって検出し、この検出した光量に基づいて投影レンズ１０のピント位置をレンズドライブ（ＬＤ）回路１４を介して制御する。なお、センサ１３ａ，１３ｂは、プロジェクタを遠隔操作するためのリモートコントローラからの信号受信用のセンサと共用するようにしてもよい。
【００２０】
また、本一実施形態では、受光レンズ１２とセンサ１３ａ，１３ｂ、及び受光量検出回路１３ｃを利用して、プロジェクタからスクリーンや壁面等の投影面２０までの距離の遠近を判定することもでき、判定した距離の遠近に応じて最適な画像投影を行うことが可能である。例えば、プロジェクタから投影面２０までの距離が遠い場合には、色再現性優先の画像投影を行うと画面全体が暗くなってしまう可能性があるので、明るさ優先の画像投影を行うようにする。
【００２１】
次に、距離の遠近判定について更に詳しく説明する。図１の例では、センサ１３ａに入射にした反射信号光の光量が受光量検出回路１３ｃによって検出され、この検出された光量に応じた投影モードの切換信号がＣＰＵ１１に出力される。ＣＰＵ１１はこの切換信号に基づいて距離の遠近を判定する。例えば、投影面２０に画像投影用の画像光と異なる信号光を照射したときの投影面２０からの反射信号光に基づく切換信号が符号２１で示すポイント相当の信号であると判定した場合には、遠距離Ｌ１と判定する。一方、投影面２０からの反射信号光に基づく切換信号が符号２２で示すポイント相当の信号であると判定した場合には、近距離Ｌ２と判定する。この場合には、例えばセンサ等に測距用の投光源を設けておくようにすることが好ましい。また、符号２１や２３で示す複数の方向に信号光を照射し、その反射信号光がセンサ１３ａ，１３ｂの何れのセンサに入射するかを検出し、センサ１３ａに入射した時には遠距離Ｌ１、センサ１３ｂに入射した時には近距離Ｌ２と判定するようにしてもよい。このような場合、遠距離Ｌ１と近距離Ｌ２の中間の距離は２つのセンサ１３ａ，１３ｂに入射する光の光量比率によって判定すれば良い。また、遠距離Ｌ１よりも遠い距離は、センサに入射する反射信号光の光量が所定量より減少したか否かによって判定することができる。
【００２２】
次に、色再現性優先の第１の投影モードと明るさ優先の第２の投影モードとの間の切り換えについて説明する。本一実施形態においては、カラーフィルタ部の面積比が異なるカラーホイール３，４を２つ用意して画像投影を行う。なお、図２に示すカラーホイールにおいて、カラーホイール３のＷ部の方がカラーホイール４のＷ部よりも広いのは、光源ランプ１の光がライトガイド５に入射する時に光をけりにくくする工夫である。ここで、カラーホイール３は明るさ優先の画像投影のためのカラーホイールである。一方、カラーホイール４は色再現性優先の画像投影のためのカラーホイールである。例えば、カラーホイール３を回転させ、カラーホイール４のＷ部を光が通過するようにカラーホイール４を停止させておけば、光がカラーホイール３のＷ部を通過する時に大きな光量が得られる明るさ優先の投影モードとなる。一方、カラーホイール３のＷ部を光が通過するようにカラーホイール３を停止させておき、カラーホイール４を回転させて画像を投影するようにすれば、光量は減少するが色情報の多い画像表示が可能な色再現性優先の投影モードとなる。
【００２３】
次に、図３（ａ）及び図３（ｂ）のタイミングチャートを参照して、２つのカラーホイールを使い分けて、色再現性を優先したり、明るさを優先したりする切り換えについて更に詳しく説明する。ここで、図３（ａ）は色再現性優先の投影モードにおけるタイミングチャートを示し、図３（ｂ）は明るさ優先の投影モードにおけるタイミングチャートを示す。
【００２４】
即ち、図３（ａ）の色再現性優先の投影モードにおいてはカラーホイール３を停止させておき、カラーホイール４のみを回転させる。ここで、カラーホイール３は、色の付いていないＷ部に光が通るようにして色の影響が出ないようにしておく。図３（ｂ）の制御においても停止させておくほうのカラーホイール４は同様にＷ部に光が通過するようにしておく。
【００２５】
図３（ａ）ではＭＤ４ｂがモータ４ａを、図３（ｂ）ではＭＤ３ｂがモータ３ａをそれぞれＶ１のスピードで制御しはじめる様子を示している。ここで、各カラーホイールのカラーフィルタ部の配分は図２に示した配分なので、図３（ａ）の方は、Ｒ，Ｇ，Ｂそれぞれの色が付いたフィルタ部とＷ部が等間隔で現れる。一方、図３（ｂ）の場合は、Ｗ部が現れる時間の割合が多い。ここで、ＤＭＤ９の制御は同じ間隔で行われるので、図３（ａ）の方は図３（ｂ）に比べて暗いが色情報が多くなり、図３（ｂ）の方は図３（ａ）に比べて明るいが色情報が少なくなる事がわかる。
【００２６】
ここで、このような制御においてはカラーホイールが２つ必要である。しかしながら、図４のような制御を行えば、カラーホイール３がなくとも明るさ優先の投影モードと色再現性優先の投影モードとを切り換えることが可能である。即ち、カラーホイール３を廃止して、残ったカラーホイール４のスピードをＶ１，Ｖ２というように、Ｗ部の部分で遅くする。この間にＤＭＤ制御を多数回行うことによって、明るさを優先した投影制御を行うことができる。一方、色再現性を優先する時は、図３（ａ）の制御をそのまま行えばよい。
【００２７】
このような投影モードの切り換えにおいては、単に投影面２０までの距離によって投影モードを切り換えるだけでなく、投影する画像が色再現性を優先すべき図５（ａ）のような写真画像か又は明るさを優先すべき図５（ｂ）のようなプレゼンテーション用資料の画像かを判定して、色再現性優先の投影モードと明るさ優先の投影モードとを切り換える事ができる仕様とすることがより好ましい。
【００２８】
そこで、図８のような手法によって投影する画像の種類を判定する。即ち、画像が写真画像であるか否かを判別し、写真画像である時には色再現性優先の投影モードにする。このような判定はＣＰＵ１１内部に設けられ、主要被写体判定部としての機能を有する画像判定部１１ｂにおいて行われるものである。なお、ここでは、画像判定部１１ｂの制御をＣＰＵ１１の制御として説明する。
【００２９】
即ち、ＣＰＵ１１は、所定値以上の明るさの画素の数をカウントし（ステップＳ１１）、このカウントした画素の数の全画素の数に対する割合を求める（ステップＳ１２）。次に、ＣＰＵ１１は、ステップＳ１２で求めた比率が８０％以上であるか否かを判定する（ステップＳ１３）。なお、８０％という数値は一例であり、変更可能である。
【００３０】
ステップＳ１３の判定において、比率が８０％以上であると判定した場合には図５（ｂ）のようなプレゼンテーション用資料の画像であると判定し、明るさ優先の投影モードに切り換える。一方、ステップＳ１３の判定において、比率が８０％未満であると判定した場合には画像の所定部分の所定範囲（例えば、図５（ａ）又は図５（ｂ）の破線部）におけるコントラスト変化の頻度を検出する（ステップＳ１４）。そして、ＣＰＵ１１は、コントラスト変化の頻度が高いか否かを判定する（ステップＳ１５）。ステップＳ１５の判定において、頻度が高いと判定した場合には、写真画像であると判定し、色再現性優先の投影モードに切り換える（ステップＳ１６）。このような切り換えを行うのは、図５（ａ）のような写真画像は陰影が細かく変化、即ちコントラスト変化の頻度が高く、図５（ｂ）のような画像はコントラスト変化の量は大きいものの、コントラスト変化の頻度は低いことを理由としている。ここで、図５（ａ）及び図５（ｂ）のそれぞれの画像の左右方向中央部（図において垂直方向の破線で示す部分）のコントラスト変化を図６（ａ）及び図６（ｂ）に示す。また、図５（ａ）のような画像では、画像の上部が空である場合が多いので、画面の下端から１／３の部分における画像の左右方向（図において水平方向の破線で示す）のコントラスト変化を示すと、それぞれ図７（ａ）及び図７（ｂ）のようになる。
【００３１】
図７（ａ）及び図７（ｂ）に示すように、図５（ａ）のような写真画像の場合は、図５（ｂ）のようなプレゼンテーション用資料の画像よりも細かい周波数でコントラストが変化する。したがって、コントラスト変化に基づいて写真画像であると判定することができる。もちろん、コントラストのピークや規則性によって両者を判定するようにしてもよい。
【００３２】
また、ステップＳ１５の判定において、頻度が低いと判定した場合には、画像の色調変化を検出し（ステップＳ１７）、色調変化が小さいか否かを判定する（ステップＳ１８）。即ち、図５（ｂ）のような画像では、白い背景や青い背景など特定の色調が画像の大部分を占めていることが多く、色調変化が少ないと考えられる。そこで、ステップＳ１８のような判定を行い、色調変化が大きい時のみ写真画像であると判定し、色再現性優先の投影モードに切り換える。
【００３３】
このような手法を用いることにより、入力された画像データ４０から画像の種類を判定することが可能である。また、画像データ４０に、主要被写体に関するデータ（以下、主要被写体データと称する）４０ａを持たせるようにしておき、この主要被写体データ４０ａに基づいて写真画像であるか否かを判定できるようにしてもよい。なお、主要被写体データ４０ａは、例えば、画像データのヘッダ情報として書き込んでおくようにすれば良い。
【００３４】
このような手法で画像の種類を判別できる構成において、ＣＰＵ１１が図９のようなフローチャートに従った制御を実行すれば、画像に応じた投影モードによる最適描写表示が可能である。
【００３５】
まず、ＣＰＵ１１は、投影する画像が選択されたか否かを判定し（ステップＳ２１）、画像が選択された場合には、その画像の画像データを入力する（ステップＳ２２）。この画像データは、図８のような写真画像判定に用いたり、ＤＭＤ９の制御をどのように行うかを決定したりする際に用いる。
【００３６】
次に、図１で説明したような光投射型又は反射光受光型の距離検出方式を用いて投影面２０までの距離を検出し（ステップＳ２３）、この距離が遠距離であるか否かを判定する（ステップＳ２４）。遠距離であると判定した場合には、投影面２０まで光が届かないので、明るさ優先の投影モードに切り換えて（ステップＳ２５）、ステップＳ２９に移行する。
【００３７】
一方、ステップＳ２４の判定において遠距離でないと判定した場合には、ステップＳ２４をステップＳ２６に分岐して図８で説明したような写真画像判定を行う（ステップＳ２６）。このステップＳ２６の写真画像判定において写真画像でないと判定した場合には、ステップＳ２５に移行してカラーホイール３を利用した明るさ優先の投影モードに切り換える。また、ステップＳ２６の判定において、写真画像であると判定した場合には、主要被写体の存在する場所の露出がその他の場所（背景）に比べてアンダーであるか否かを判定する（ステップＳ２７）。この判定は、例えば主要被写体がアンダーであることを示す情報を主要被写体データ４０ａに記録しておき、それをＣＰＵ１１が読み取ることで判定するようにすればよい。ステップＳ２７の判定において、主要被写体が極端にアンダーであると判定した場合には、ステップＳ２５に移行して明るさ優先の投影モードに切り換える。これは、明るさ優先の投影モードでは、明るい所がオーバー気味になる傾向を利用した処理である。即ち、明るさ優先の投影モードで背景をオーバーに表示して主要被写体の表情などを明確にする。
【００３８】
一方、ステップＳ２７の判定において主要被写体がアンダーでないと判定した場合には、ステップＳ２７をステップＳ２８に分岐してカラーホイール４を利用した色再現性優先の投影モードに切り換える（ステップＳ２８）。
【００３９】
このようにして投影モードを切り換えた後、画像投影を行う（ステップＳ２９）。このように、画像の選択変更が行われるのに同期して投影モード切り換えの判定を行うことによって、画像投影途中で、例えば色調の変化が起こっても不自然な感じを鑑賞者に与えることがない。また、鑑賞者等がスイッチ操作して、投影モードを切り換えた場合には、ＣＰＵ１１はその旨を判定して（ステップＳ３０）、投影モードの切り換えを行う（ステップＳ３１）。
【００４０】
また、先のセンサ１３ａを利用して周囲の明るさを検出し、これに基づいて投影モードの切り換えを行うようにしても良い。即ち、プロジェクタの投影がない状態でも明るい場合には、画像が見えにくいので、明るさ優先の投影モードに切り換える。このような判定は、図１０のフローチャートに従って行われる。即ち、ＣＰＵ１１はセンサから信号光照射を行わない状態におけるセンサ１３ａの出力が所定量よりも大きいか否かを判定し（ステップＳ４１）、センサ１３ａの出力が所定量よりも大きいと判定した場合には明るさ優先の投影モードに切り換える（ステップＳ４２）。一方、ステップＳ４１の判定において、センサ１３ａの出力が所定量よりも大きいと判定した場合には色再現性優先の投影モードに切り換える（ステップＳ４３）。
【００４１】
以上説明したような判定によって、画像を最適な状態で投影する事ができる。例えば、色再現性優先モードの場合には、紅葉や青空等の鮮やかな色を描写することが可能である。また、色再現性を重要視すべきシーンとして、図１１（ａ）のような夜景シーンがある。このような夜景シーンを判定する手法の例としては、例えば図１１（ｂ）に示すように、画像の全体的な部分が所定の明るさよりも暗く、所々に明るい部分がある画像データの場合に夜景シーンと判定するようにすればよい。このような夜景シーンでは、色再現性を優先する投影モードに切り換えるようにする。
【００４２】
以上説明したように、本一実施形態によれば、モータの制御のみで色再現性優先の投影モードと明るさ優先の投影モードの切り換えが可能となる。したがって、カラーホイールの数を少なくすることができ、小型化や構成の単純化が期待できる。
【００４３】
以上実施形態に基づいて本発明を説明したが、本発明は上記した実施形態に限定されるものではなく、本発明の要旨の範囲内で種々の変形や応用が可能なことは勿論である。
【００４４】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４５】
【図１】本発明の一実施形態に係るプロジェクタの構成を示すブロック図である。
【図２】カラーホイールの詳細な構成を示した図である。
【図３】図３（ａ）は色再現性優先モード時のカラーホイールの制御について示すタイミングチャートであり、図３（ｂ）は明るさ優先モード時のカラーホイールの制御について示したタイミングチャートである。
【図４】明るさ優先モード時のカラーホイールの制御の別の例について示すタイミングチャートである。
【図５】図５（ａ）は写真画像の例を示す図であり、図５（ｂ）はプレゼンテーション用資料の画像の例を示す図である。
【図６】図６（ａ）は図５（ａ）の画像の左右方向中央部における垂直方向のコントラスト変化について示す図であり、図６（ｂ）は図５（ｂ）の画像の左右方向中央部における垂直方向のコントラスト変化について示す図である。
【図７】図７（ａ）は図５（ａ）の画像の下部における左右方向のコントラスト変化について示す図であり、図７（ｂ）は図５（ｂ）の画像の下部における左右方向のコントラスト変化について示す図である。
【図８】写真画像判定の制御について示すフローチャートである。
【図９】本発明の一実施形態における画像投影時の制御について示すフローチャートである。
【図１０】投影モード切り換えの別の例について示すフローチャートである。
【図１１】図１１（ａ）は夜景シーンの例について示す図であり、図１１（ｂ）は夜景シーンにおける明るさ変化について示す図である。
【符号の説明】
【００４６】
１…光源ランプ、２…楕円集光ミラー、３，４…カラーホイール、３ａ，４ａ…モータ、３ｂ，４ｂ…モータドライバ（ＭＤ）、３ｃ，４ｃ…フォトカプラ、５…ライトガイド、６…コンデンサレンズ、７，８…ミラー、９…デジタルミラーデバイス（ＤＭＤ）、９ａ…画素制御回路、１０…投影レンズ、１１…演算制御回路（ＣＰＵ）、１１ａ…操作スイッチ部、１１ｂ…画像判定部、１２…受光レンズ、１３ａ，１３ｂ…センサ、１３ｃ…受光量検出回路、１４…レンズドライブ（ＬＤ）回路
【図１】
2005203859.tif 000003
【図２】
2005203859.tif 000004
【図３】
2005203859.tif 000005
【図４】
2005203859.tif 000006
【図５】
2005203859.tif 000007
【図６】
2005203859.tif 000008
【図７】
2005203859.tif 000009
【図８】
2005203859.tif 000010
【図９】
2005203859.tif 000011
【図１０】
2005203859.tif 000012
【図１１】
2005203859.tif 000013